(57)【要約】【課題】シャッター式風呂蓋において、簡単に開閉操作を行える把手付風呂蓋の提供を目的とする。【解決手段】把手付風呂蓋は、並列に配置された複数の中空棒状体(11)と、隣接する中空棒状体(11)と連結する屈曲自在な帯状連結部材(15)とを具備する風呂蓋本体(10)において、前記中空棒状体の配列方向の一端部および中間部に把手(30)(40)が取り付けられていることを特徴とする。前記中間部の把手(40)は、中空棒状体(11b)の上下に貫通する取付孔を設け、該把手を支持する支持用部材を、中空棒状体(11b)に上下に貫通する取付孔の裏面から抜け止め状態に挿入され、上面から突出する貫通体を有する固定用部材に連結することにより、風呂蓋本体(10)に取り付けることができる。【選択図】  図１
0003124407.tif 000002
【実用新案登録請求の範囲】
【請求項１】
並列に配置された複数の中空棒状体と、隣接する中空棒状体を連結する屈曲自在な帯状連結部材とを具備する風呂蓋本体において、前記中空棒状体の配列方向の一端部および中間部に把手が取り付けられていることを特徴とする把手付風呂蓋。
【請求項２】
前記中間部の把手は、該把手を支持する支持用部材を、中空棒状体の上下方向に貫通する取付孔の裏面から抜け止め状態に挿入され、上面から突出する貫通体を有する固定用部材に連結することにより、風呂蓋本体に取り付けられている請求項１に記載の把手付風呂蓋。
【請求項３】
前記中間部の把手は、中空棒状体において一端部の把手の側に片寄った位置に取り付けられている請求項１または２に記載の把手付風呂蓋。
【考案の詳細な説明】
【技術分野】
【０００１】
この考案は、並列に複数配置された中空長尺部材が、柔軟性連結部材を介して連結されたシャッター式等の風呂蓋本体に、把手を設けるようにした把手付風呂蓋に関する。
【背景技術】
【０００２】
所謂シャッター式と称される風呂蓋は、硬質合成樹脂の押出成形物からなる多数本の中空棒状体が折曲自在な軟質合成樹脂の帯状連結材を介して並列状に連結された構造を有しており、巻き込み・展開によって浴槽の蓋開閉を簡単に行えると共に、不使用時にコンパクトな巻き込み状態で浴槽の脇に横置きしたり浴室の隅部に立て置きできるという利点がある。また、開閉操作を容易にするために、風呂蓋本体の一端に把手を取り付けることも提案されている（特許文献１〜３参照）。
【０００３】
ところで、近年はゆったりと脚を伸ばせる間口の広い浴槽が好まれる傾向にあり、風呂蓋も長いものが必要となる。
【０００４】
風呂蓋が長くなると、重くなって開閉操作に労力と手数がかかるようになる。しかも、丸く巻き込んだ状態では径が大きくなって嵩高くなり、立て置きするにも場所をとることになる。そこで、２枚一組の組蓋にして個々の風呂蓋を小型軽量化したり、中空棒状体を数本毎に異なる方向に折り曲げるように連結し、屏風畳みにして平たく折り畳める風呂蓋も提案されている（特許文献３参照）。
【特許文献１】特開平３−２２４５２１号公報（図８）
【特許文献２】特開平１０−２１６０３４号公報（図２、３）
【特許文献３】特開２００４−９７５０２号公報（図１）
【考案の開示】
【考案が解決しようとする課題】
【０００５】
しかしながら、組蓋にすると個々の蓋は小型軽量化されて扱い易くなるが、２枚分の開閉の手数が必要となる。また、特許文献３に記載されている折り畳み式の風呂蓋は、風呂蓋本体の一端側から順次折り畳んでいくために開閉操作に手数がかかる。
【課題を解決するための手段】
【０００６】
本考案は、上述した現状に鑑み、長さの長いシャッター式風呂蓋においても簡単に開閉操作を行える把手付風呂蓋の提供を目的とする。
【０００７】
即ち、本考案の把手付風呂蓋は下記に記載の構成を有する。
【０００８】
［１］  並列に配置された複数の中空棒状体と、隣接する中空棒状体を連結する屈曲自在な帯状連結部材とを具備する風呂蓋本体において、前記中空棒状体の配列方向の一端部および中間部に把手が取り付けられていることを特徴とする把手付風呂蓋。
【０００９】
［２］  前記中間部の把手は、該把手を支持する支持用部材を、中空棒状体の上下方向に貫通する取付孔の裏面から抜け止め状態に挿入され、上面から突出する貫通体を有する固定用部材に連結することにより、風呂蓋本体に取り付けられている［１］に記載の把手付風呂蓋。
【００１０】
［３］  前記中間部の把手は、中空棒状体において一端部の把手の側に片寄った位置に取り付けられている［１］または［２］に記載の把手付風呂蓋。
【考案の効果】
【００１１】
上記〔１〕に記載した把手付風呂蓋は、両手で把手を握って風呂蓋本体を持ち上げて２つの把手を揃えると、風呂蓋本体(10)はおのずから三つ折りになる。このように三つ折りにすると扁平になるので嵩張らず扱い易い。
【００１２】
上記〔２〕に記載した把手付風呂蓋によれば、簡単に把手を風呂蓋本体を取り付けることができる。
【００１３】
上記〔３〕に記載した把手付風呂蓋によれば、２つの把手を揃えると帯状連結部材が折り山になるので、折り畳み時の嵩張りを少なくすることができる。
【考案を実施するための最良の形態】
【００１４】
図１〜１０は、この発明の実施形態である把手付きのシャッター式風呂蓋およびその細部を示す図である。これらの図に示すように、この実施形態の把手付風呂蓋は、長円形のシャッター式の風呂蓋本体(10)と、２つの把手(30)(40)とを基本的な構成要素として備えている。
【００１５】
〈風呂蓋本体〉
風呂蓋本体(10)は、長さ方向に並列に配置された複数の中空棒状体(11)と、中空棒状体(11)の各間に配置された帯状連結部材(15)とを有している。
【００１６】
中空棒状体(11)は、両端が開放された中空パイプ形状を有し、硬質合成樹脂製の押出成形品によって構成されている。この中空棒状体(11)は、台形に類似した略山形の断面形状を有し、内部に上下壁間を連結する補強壁(13)が長さ方向に連続して形成されている。複数の中空棒状体(11)のうち端部に配置される数本の中空棒状体(11)は、両端部側に向かうに従って次第に長さ寸法が短くなるように設定されている。
【００１７】
また、一端側の最端の中空棒状体(11a)を除く全ての中空棒状体(11)の両端には、中空棒状体(11)の端面形状に対応する形状を有する閉塞キャップ(12)が嵌合されて各中空棒状体(11)の両端開口が水密状に閉塞されている。また、一端側の中空棒状体(11a)の両端には把手(30)の支持を兼用する一対の把手支持キャップ(20)が嵌合されて、他の中空棒状体(11)と同様に両端開口が水密状に閉塞されている。前記閉塞キャップ(12)および把手支持キャップ(20)はいずれも合成樹脂成形品である。
【００１８】
帯状連結部材(15)は、軟質合成樹脂の成形品によって構成されている。そして、この帯状連結部材(15)によって複数の中空棒状体(11)の各間が屈曲自在に連結されて、複数の中空棒状体(11)が配列方向に沿って折り曲げ可能に構成されている。
【００１９】
上述した風呂蓋本体(10)において、中空棒状体(11)の配列方向の一端部および中間部に把手(30)(40)が取り付けられている。一端部の把手(30)は最端の中空棒状体(11a)に取り付けられ、中間部の把手(40)は、最端の中空棒状体(11a)から全長の約２／３の位置にある中空棒状体(11b)に取り付けられている。以下に各把手(30)(40)とその取付方法について詳述する。
【００２０】
〈一端部の把手〉
図２〜図５に示すように、一端部の把手(30)は、一対の把手支持キャップ(20)(20)を介して中空棒状体(11a)に取り付けられている。
【００２１】
図６および図７に示すように、把手支持キャップ(20)は、基端側（風呂蓋本体側）に設けられたキャップ部(21)と、先端側に設けられた把手支持部(25)とを有する硬質合成樹脂の一体成形品により構成されている。
【００２２】
キャップ部(21)には、一対の把手支持キャップ(20)(20)間において対向し合う側面（内側面）に開口部(23)を有する収容凹部(22)が形成されている。この収容凹部(22)は、最端の中空棒状体(11a)の端部を適合状態に収容し得る形状に形成されている。さらにキャップ部(21)の基端壁（風呂蓋本体側の壁）には、一端が収容凹部(22)の開口部(23)に連通するスリット(24)が、収容凹部(22)の奥行き方向に沿って形成されている。
【００２３】
把手支持部(25)の裏面側（下面側）には、一端が内側面側に開放された把手支持溝(26)が形成されている。この溝(26)は、断面が半周を越える円弧状に形成されており、溝(26)の開口幅寸法が溝内の最大幅寸法よりも小さく設定されている。ここで、溝(26)の両側開口縁部のうち一縁部が、開口幅を狭める方向に突出する抜止め片(26a)として構成されている。
【００２４】
さらに把手支持部(25)における把手支持溝(26)の他端側には、把手支持溝(26)に連通し、かつ裏面側に開放された係合凹部(27)が形成されている。この係合凹部(27)は、把手支持溝(26)よりも径寸法が大きく形成されており、係合凹部(27)と把手支持溝(26)との間には、係合段部(27a)が形成されている。
【００２５】
この把手支持キャップ(20)が、最端の中空棒状体(11a)の両端に外嵌されて固定される。すなわち、一対の把手支持キャップ(20)の収容凹部(22)内にその開口(23)から、最端の中空棒状体(11a)の端部が収容されると同時に、スリット(24)に、最端の中空棒状体(11a)における帯状連結部材(15)との連結部周辺が挿入配置される。これにより、最端の中空棒状体(11a)の両端に把手支持キャップ(20)がその把手支持部(25)を外方に突出させた状態に外嵌される。
【００２６】
一方、把手(30)は、図２に示すように、湾曲形成された略弓状の中間把持部(31)と、互いに同軸上に配置され、かつ上記把手支持キャップ(20)における把手支持溝(26)の断面形状に対応する円形断面の両側軸部(32)(32)と、両側軸部(32)(32)の端部に設けられ、かつ上記把手支持キャップ(20)における係合凹部(27)に対応する大きさに形成された円形断面の抜止め大径部(33)(33)とを有する硬質合成樹脂の棒状成形品をもって構成されている。
【００２７】
図３〜５に示すように、この把手(30)の両側部が、上記一対の把手支持キャップ(20)に回転自在に取り付けられる。すなわち把手(30)の両側軸部(32)(32)および抜止め大径部(33)(33)が、把手支持キャップ(20)の裏面側から、対応する把手支持溝(26)(26)および係合凹部(27)(27)にそれぞれ嵌め込まれる。このとき、両側軸部(32)(32)が把手支持溝(26)(26)内に抜止め片(26a)(26a)を撓ませながら強制的に嵌合されることにより、両側軸部(32)(32)が把手支持溝(26)(26)に収容された状態では、抜止め片(26a)(26a)が把手支持溝(26)(26)の開口幅を狭める態様に配置される。従って、この抜止め片(26a)(26a)によって両側軸部(32)(32)が把手支持溝(26)(26)から背面側へ抜け出すのが防止される。
【００２８】
さらに、把手(30)の抜止め大径部(33)(33)が、対応する把手支持キャップ(20)(20)の係合凹部(27)(27)に収容される。この収納状態においては、抜止め大径部(33)(33)が、係合凹部(27)(27)と把手支持溝(26)(26)との間の係合段部(27a)に係合されることにより、把手(30)の両側軸部(32)(32)が内側方に抜け出すのが防止される。
【００２９】
さらに、把手(30)の抜止め大径部(33)が係合凹部(27)の内周面に係合されて、一対の把手支持キャップ(20)(20)が、把手(30)の軸方向、つまり中空棒状体(11a)の長さ方向への移動が規制される。これにより、各把手支持キャップ(20)(20)が中空棒状体(11a)から脱外するのが防止される。
【００３０】
こうして把手(30)の両側軸部(32)(32)が一対の把手支持キャップ(20)(20)の把手支持部(25)(25)に回転自在に取り付けられて、把手(30)の中間把持部(31)が風呂蓋本体(10)に対し起倒自在に構成される。
【００３１】
〈中間部の把手〉
把手(40)は、図８に示すように、湾曲形成された略弓状の中間把持部(41)と、その両端に同軸上に配置された円形断面の軸部(42)(42)とを有する硬質合成樹脂の棒状成形品をもって構成されたものであり、上述した一端部の把手(30)とは、軸部(42)の先端に大径部を有しないことを除いて同形である。前記把手(40)は、一対の把手取付用部材(50)(50)を介して中空棒状体(11b)の上面側に取り付けられている。
【００３２】
前記把手取付用部材(50)は、図８および図９に示すように、把手(40)を支持する支持用部材(51)と、この支持用部材(51)を風呂蓋本体(10)に固定するための固定用部材(60)とを組み合わせたものであり、いずれも硬質の合成樹脂成形品で構成されている。
【００３３】
前記支持用部材(51)は、把手(40)を支持する支持部(52)の下面に、風呂蓋本体(10)に取り付けるための取付部(53)が一体に設けられたものである。前記支持部(52)には、一対の把手取付用部材(50)(50)間において対向し合う側面（内側面）に前記把手(40)の軸部(42)を差し込む差込孔(54)が設けられている。また、前記取付部(53)には、中空棒状体(11b)の長さ方向に沿って溝(55)が設けられ、さらに該溝(55)の上面に開口する断面Ｔ字形の嵌合凹部(56)が形成されている。前記溝(55)は、中空棒状体(11b)の上半部に対応する形状に形成されているとともに両端が開放されているため、中空棒状体(11b)に嵌合させた状態で支持用部材(51)をスライドさせることができる。また、前記支持部(52)は取付部(53)の幅方向の中心から一端部の把手(30)側に片寄った位置に設けられている。
【００３４】
前記固定用部材(60)は、中空棒状体(11b)の高さ方向（風呂蓋本体の厚さ方向）に穿設された取付孔(45)に貫通状態に挿入される部材である。前記固定用部材(60)において、抜け止め用のベース板(61)上に前記取付孔(45)の形状に対応する外周形状の貫通体(62)が設けられ、該貫通体(62)の上面に前記支持用部材(50)の嵌合凹部(56)に対応する断面Ｔ字形の嵌合凸部(63)が中空棒状体(11b)の長さ方向に沿って突設されている。また、前記嵌合凸部(63)の脚部の両側面には抜け止め用突起(64)が形成され、前記嵌合凹部(56)の両側面にはこの抜け止め用突起(64)に係合する係合凹部(57)が形成されている。
【００３５】
前記把手(40)は、上述した一対の把手取付用部材(50)により以下の手順で風呂蓋本体(10)に取り付けられる。
【００３６】
図８および図９に示すように、中空棒状体(11b)の裏面から取付孔(45)に固定用部材(60)の貫通体(62)を挿入し、ベース板(61)が中空棒状体(11b)の裏面に当接するまで差し込んで中空棒状体(11b)の上面から嵌合凸部(63)を突出させる。次に、中空棒状体(11b)の端部側に被せた支持用部材(51)を固定用部材(60)側にスライドさせ、差込孔(54)に把手(40)の軸部(42)を差し込むとともに、嵌合凹部(56)に固定用部材(60)の嵌合凸部(63)を嵌合させる。さらにスライドさせて嵌合凸部(63)の抜け止め用突起(64)を強制的に嵌合凹部(56)の係合凹部(57)内に嵌め込むと、支持用部材(51)と固定用部材(60)とが抜け止め状態に係合され、把手支持部材(50)が中空棒状体(11b)に固定され、支持部(52)の側面が把手(40)の中間把持部(41)の端面に当接する。２つの把手取付用部材(50)について同じ操作を行うと、把手(40)が両端で回動自在に支持され、風呂蓋本体(10)の上面に起倒自在に取り付けられる。また、前記支持用部材の(51)の支持部(52)は取付部(53)の幅方向の中心から一端部の把手(30)側に片寄った位置に設けられているため、把手(40)は中空棒状体(11b)の幅方向の中心から一端部の把手(30)側に片寄った位置で支持される。
【００３７】
上述した２つの把手(30)(40)の取付方法によれば、接着剤、ビス、リベット等の固着手段を用いることなく、簡単に把手(20)(30)を風呂蓋本体(10)に取り付けることができる。
【００３８】
〈把手付風呂蓋の使用方法〉
浴槽の縁に載置された風呂蓋を開く場合、両手で把手(30)(40)を握って風呂蓋本体(10)を持ち上げて２つの把手(30)(40)を揃えると、風呂蓋本体(10)はおのずから三つ折りになる（図１０参照）。この三つ折り状態は端部から丸く巻き込むよりも扁平になるので嵩張らず扱い易い。しかも、中間部の把手(40)は中空棒状体(11b)の幅方向の中心から一端部の把手(30)側に片寄った位置に取り付けられているので、２つの把手(30)(40)を揃えると帯状連結部材(15)が折り山になり、折り畳み時の嵩張りを少なくすることができる。２つの把手(30)(40)を握れば片手で三つ折り状態を保持できるので、壁面に立てかけるのも壁面に取り付けたフックに掛けるのも簡単である。
【００３９】
風呂蓋を閉じる場合においても、２つの把手を握れば三つ折りにした風呂蓋を浴槽上に移動させることは簡単である。
【００４０】
本考案の把手付風呂蓋は上述した実施形態に限定されず、実用新案登録請求の範囲を逸脱しない限り種々の変形が許容される。
【００４１】
例えば、上記風呂蓋本体は間口の広い浴槽を１枚の風呂蓋で覆うことができる長さを有するものであるが、組蓋のような短い風呂蓋に適用することも任意である。短い風呂蓋本体においても２つの把手を取り付けることによって開閉操作を簡単に行えるようになる。風呂蓋本体の形状も任意である。
【００４２】
２つの把手の取付方法も何ら限定されない。一端部の把手は、中空棒状体両端の閉塞キャップを兼用しない把手支持専用の部材を用いて中空棒状体上の任意位置に取り付けることもできる。例えば、上記把手支持キャップ(20)から中空棒状体の端部を閉塞させる部分を取り除けば、収容凹部(22)に中空棒状体を収容した状態でスライドさせることができ、中空棒状体上の任意位置に把手を取り付けることができる。また、一端部の把手を上記把手取付用部材(50)を用いて中間部の把手(40)と同じ方法で取り付けることもできる。さらに、接着剤、ビス、リベット等の固着手段を用いて把手を取り付けることもできる。
【００４３】
また、把手の形状も限定されない。上記実施形態は棒状の把手の両端を支持して風呂蓋本体に取り付けたものであるが、環状の把手であっても良い。環状の把手であれば、把手を一箇所で支持して風呂蓋本体に取り付けることも可能であり、把手の形状に応じて任意の取付方法を採用することができる。
【産業上の利用可能性】
【００４４】
本考案の把手付風呂蓋は、長さが長くなっても開閉操作が容易であるから、近年好まれる傾向にある間口の広い浴槽にも好適に用いることができる。
【図面の簡単な説明】
【００４５】
【図１】この考案の実施形態である把手付風呂蓋を示す平面図である。
【図２】一端部の把手の周辺を分解して裏面側から見た状態で示す斜視図である。
【図３】一端部の把手の周辺を示す断面図である。
【図４】一端部の把手の周辺を分解して示す断面図である。
【図５】一端部の把の部周辺を示す裏面図である。
【図６】把手支持キャップを裏面側から見た状態で示す斜視図である。
【図７】把手支持キャップを示す裏面図である。
【図８】中間部の把手の周辺を分解して示す斜視図である。
【図９】中間部の把手の周辺を示す断面図である。
【図１０】把手付風呂蓋を三つ折りにした状態を示す斜視図である。
【符号の説明】
【００４６】
10…風呂蓋本体
11…中空棒状体
11a…一端部の把手を取り付ける中空棒状体
11b…中間部の把手を取り付ける中空棒状体
15…帯状連結部材
20…把手支持キャップ
30…一端部の把手
40…中間部の把手
50…把手取付用部材
51…支持用部材
60…固定用部材
【図１】
0003124407.tif 000003
【図２】
0003124407.tif 000004
【図３】
0003124407.tif 000005
【図４】
0003124407.tif 000006
【図５】
0003124407.tif 000007
【図６】
0003124407.tif 000008
【図７】
0003124407.tif 000009
【図８】
0003124407.tif 000010
【図９】
0003124407.tif 000011
【図１０】
0003124407.tif 000012